(57)【要約】【課題】冷媒によって制御装置を冷却するように構成された冷凍装置において、冷房運転時には能力低下を防止し且つ暖房運転時には能力向上を図れるような構成を実現する。【解決手段】流入側が冷媒回路（2）に接続されていて、内部を流れる冷媒によって制御装置（4）を冷却するように構成された冷却回路（20）を備えた構成とする。そして、該冷却回路（20）は、その流入側が、上記冷媒回路（2）における膨張弁（15）の上流側及び下流側にそれぞれ接続される２つの流入配管（25,26）によって構成されている。【選択図】図１
2011133133.tif 000002
【特許請求の範囲】
【請求項１】
制御装置（4）によって駆動制御される圧縮機（13）、熱源側熱交換器（14）、利用側熱交換器（17）、膨張機構（15）及び流路切換機構（16）を冷媒配管（3）によって接続してなり、冷房運転状態と暖房運転状態とで該流路切換機構（16）により冷媒の流れ方向を切り換え可能に構成された冷媒回路（2）を備え、該冷媒回路（2）内の冷媒によって上記制御装置（4）を冷却するように構成された冷凍装置であって、
流入側が上記冷媒回路（2）に接続されていて、内部を流れる冷媒によって上記制御装置（4）を冷却するように構成された冷却回路（20）を備え、
上記冷却回路（20）は、その流入側が、上記冷媒回路（2）における上記膨張機構（15）の上流側及び下流側にそれぞれ接続される２つの流入路（25,26）によって構成されていることを特徴とする冷凍装置。
【請求項２】
請求項１に記載の冷凍装置において、
上記冷却回路（20）は、その流出側が上記圧縮機（13）の内部空間に接続されていることを特徴とする冷凍装置。
【請求項３】
請求項１または２に記載の冷凍装置において、
上記流入路（25,26）には、それぞれ、上記冷媒回路（2）から上記冷却回路（20）への冷媒の流れのみを許容する流れ規制機構（27,28）が設けられていることを特徴とする冷凍装置。
【請求項４】
請求項１から３のいずれか一つに記載の冷凍装置において、
上記冷却回路（20）には、上記制御装置（4）を冷却する部分の上流側に圧力調整機構（23）が設けられているとともに、当該部分の下流側に流量調整機構（24）が設けられていることを特徴とする冷凍装置。
【発明の詳細な説明】
【技術分野】
【０００１】
本発明は、圧縮機を駆動制御するための制御装置を冷媒によって冷却するように構成された冷凍装置に関するものである。
【背景技術】
【０００２】
従来より、圧縮機を駆動制御するためのインバータ回路などの制御装置を、冷媒回路内の冷媒によって冷却するように構成された冷凍装置が知られている。例えば、特許文献１には、膨張弁の上下流側に両端が接続された冷媒配管内を流れる冷媒によって制御装置を冷却する構成が開示されている。また、特許文献２には、冷房運転時に膨張弁の上流側に流れる冷媒によって制御装置を冷却する構成が開示されている。
【先行技術文献】
【特許文献】
【０００３】
【特許文献１】特開昭６２−６９０６６号公報
【特許文献２】特開２００８−１２１９８５号公報
【発明の概要】
【発明が解決しようとする課題】
【０００４】
ところで、上述のような構成では、冷房運転時には、液冷媒を用いて制御装置を冷却した後、該制御装置の熱を回収した冷媒が蒸発器側へ流れるため、該制御装置の発熱分だけ冷房能力が低下することになる。また、暖房運転状態のときには、制御装置の発熱分が冷媒の熱量にプラスされることになるものの、その分、冷媒の吸熱能力を低下させることになるため、暖房能力をほとんど向上することができない。
【０００５】
本発明は、かかる点に鑑みてなされたものであり、その目的とするところは、冷媒によって制御装置を冷却するように構成された冷凍装置において、冷房運転時には能力低下を防止し且つ暖房運転時には能力向上を図れるような構成を実現することにある。
【課題を解決するための手段】
【０００６】
上記目的を達成するために、本発明に係る冷凍装置（1）では、制御装置（4）を冷却する冷却回路（20）の流入側を、膨張機構（15）の上流側及び下流側にそれぞれ接続された２つの流入路（25,26）によって構成した。
【０００７】
具体的には、第１の発明では、制御装置（4）によって駆動制御される圧縮機（13）、熱源側熱交換器（14）、利用側熱交換器（17）、膨張機構（15）及び流路切換機構（16）を冷媒配管（3）によって接続してなり、冷房運転状態と暖房運転状態とで該流路切換機構（16）により冷媒の流れ方向を切り換え可能に構成された冷媒回路（2）を備え、該冷媒回路（2）内の冷媒によって上記制御装置（4）を冷却するように構成された冷凍装置を対象とする。
【０００８】
そして、流入側が上記冷媒回路（2）に接続されていて、内部を流れる冷媒によって上記制御装置（4）を冷却するように構成された冷却回路（20）を備え、該冷却回路（20）は、その流入側が、上記冷媒回路（2）における上記膨張機構（15）の上流側及び下流側にそれぞれ接続される２つの流入路（25,26）によって構成されているものとする。
【０００９】
以上の構成により、冷房運転時及び暖房運転時のいずれの場合でも、膨張機構（15）の上流側、すなわち高圧側の冷媒を冷却回路（20）内に流すことができる。すなわち、冷却回路（20）の流入側は、冷媒回路（2）における膨張機構（15）の上流側及び下流側にそれぞれ接続される２つの流入路（25,26）によって構成されるため、該冷却回路（20）内には、膨張機構（15）に流入する前の高圧の冷媒が流入する。このように、冷凍装置の運転状態に関係なく、冷却回路（20）内に常に高圧の冷媒を流入させることにより、該冷却回路（20）内で結露が発生するのを防止できる。
【００１０】
また、上述の構成により、制御装置（4）を冷却するための冷却回路（20）に、冷媒回路（2）を構成する冷媒配管（3）とは別の冷媒配管（21）を用いることができる。したがって、冷却回路（20）内の冷媒配管（21）を、冷媒回路（2）の冷媒配管（3）に比べて細くすることができる。よって、冷却回路（20）の小型化を図れる。
【００１１】
上記第１の発明において、上記冷却回路（20）は、その流出側が上記圧縮機（13）の内部空間に接続されているものとする（第２の発明）。これにより、冷却回路（20）内の冷媒を直接、圧縮機（13）に戻すことができるため、暖房運転時には、制御装置（4）から回収した熱の分、暖房能力の向上を図れる。また、上述のように、冷却回路（20）内の冷媒を圧縮機（13）に戻すことにより、冷房運転時に、制御装置（4）から熱を回収した冷媒が蒸発器へ流れるのを防止でき、冷房能力の低下を防止できる。
【００１２】
ここで、上記冷却回路（20）から流出する冷媒は、圧縮機（13）から吐出される冷媒に対して、凝縮器及び該冷却回路（20）の圧力損失分の圧力が低下した冷媒である。そのため、上述のように、この冷媒を圧縮機（13）の内部に戻すことにより、該圧縮機（13）の大きな効率低下を招くことなく、制御装置（4）を冷却回路（20）によって冷却することができる。
【００１３】
上記第１または第２の発明において、上記流入路（25,26）には、それぞれ、上記冷媒回路（2）から上記冷却回路（20）への冷媒の流れのみを許容する流れ規制機構（27,28）が設けられているものとする（第３の発明）。
【００１４】
こうすることで、流入路（25,26）に設けた流れ規制機構（27,28）によって、冷媒回路（2）の膨張機構（15）の上下流側にそれぞれ接続される２つの流入路（25,26）から該冷媒回路（2）側へ冷媒が逆流するのを防止できる。したがって、上記流入路（25,26）を介して冷却回路（20）内に冷媒をより確実に流入させることができ、該冷却回路（20）で制御装置（4）をより確実に冷却することができる。
【００１５】
上記冷却回路（20）には、上記制御装置（4）を冷却する部分の上流側に圧力調整機構（23）が設けられているとともに、当該部分の下流側に流量調整機構（24）が設けられているものとする（第４の発明）。
【００１６】
これにより、冷却回路（20）では、制御装置（4）を冷却する部分の上流側に設けられた圧力調整機構（23）によって、冷媒の蒸発圧力が、所定の冷却能力を発揮しつつ結露を防止できるような適度な圧力に調整される。また、上記制御装置（4）を冷却する部分の下流側に設けられた流量調整機構（24）によって、冷却回路（20）内の冷媒の流量が適度な流量に調整される。したがって、上述の構成により、冷却回路（20）内の冷媒の蒸発圧力及び流量を調整することができる。
【発明の効果】
【００１７】
本発明に係る冷凍装置（1）によれば、制御装置（4）を冷却する冷却回路（20）内に流れる冷媒を、冷凍装置（1）の運転状態に関係なく、常に高圧の冷媒にすることができるため、該冷却回路（20）で結露が発生するのを防止できる。
【００１８】
また、第２の発明によれば、上記冷却回路（20）の流出側を圧縮機（13）の内部空間に接続することにより、暖房運転時の能力向上を図れる一方、冷房運転時の能力低下を防止できる。しかも、上記圧縮機（13）では、冷却回路（20）から流入する冷媒の圧力を、凝縮器及び冷却回路（20）での圧力損失分だけ上昇させればよいため、圧縮機（13）の大きな効率低下を招くことなく、冷却回路（20）で制御装置（4）を冷却できる。
【００１９】
また、第３の発明によれば、上記２つの流入路（25,26）に設けられた流れ規制機構（27,28）によって、冷却回路（20）から冷媒回路（2）への冷媒の逆流を防止でき、該冷却回路（20）によって制御装置（4）をより確実に冷却することができる。
【００２０】
さらに、第４の発明によれば、上記冷却回路（20）において、上記制御装置（4）を冷却する部分の上流側に圧力調整機構（23）を設けて、当該部分の下流側に流量調整機構（24）を設けたため、冷却回路（20）内の冷媒の蒸発圧力及び流量を調整することができる。よって、冷却回路（20）で結露が生じない範囲で装置全体の運転効率を向上しつつ、制御装置（4）を冷媒によって効果的に冷却することができる。
【００２１】
また、冷却回路（20）を冷媒回路（2）とは別回路にすることで、該冷却回路（20）を構成する冷媒配管（21）として、冷媒回路（2）を構成する冷媒配管（3）とは別の冷媒配管（21）を用いることができる。したがって、冷却回路（20）内の冷媒配管（21）を、冷媒回路（2）の冷媒配管（3）に比べて細くすることが可能となり、冷却回路（20）の小型化を図れる。
【図面の簡単な説明】
【００２２】
【図１】図１は、本発明の実施形態に係る冷凍装置の一例である空気調和装置の概略構成を示す回路図である。
【図２】図２は、本発明の実施形態に係る空気調和装置が暖房運転状態のときの冷媒の流れを示す図１相当図である。
【図３】図３は、本発明の実施形態に係る空気調和装置のモリエル線図である。
【発明を実施するための形態】
【００２３】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００２４】
−全体構成−
本発明の実施形態に係る冷凍装置としての空気調和装置（1）の概略構成を図１に示す。この空気調和装置（1）は、室外ユニット（11）と室内ユニット（12）とを備えている。室外ユニット（11）には、圧縮機（13）、室外熱交換器（14）（熱源側熱交換器）、主膨張弁（15）（膨張機構）、四路切換弁（16）（流路切換機構）及び冷却回路（20）が設けられている。室内ユニット（12）には、室内熱交換器（17）（利用側熱交換器）が設けられている。
【００２５】
上記空気調和装置（1）内には、上記室外ユニット（11）及び室内ユニット（12）内の各構成部品（圧縮機（13）、室外熱交換器（14）、主膨張弁（15）、四路切換弁（16）及び室内熱交換器（17））が冷媒配管（3）によって接続されることにより、冷媒回路（2）が構成されている。上記図１の例では、簡略的に、室外ユニット（11）と室内ユニット（12）とが接続された構成を示しているが、この限りではなく、該室外ユニット（11）と室内ユニット（12）とを連絡配管を介して接続してもよい。
【００２６】
なお、特に図示しないが、上記室外ユニット（11）には、上記室外熱交換器（14）に対して室外空気を流す室外ファンが設けられている。また、特に図示しないが、上記室内ユニット（12）にも、上記室内熱交換器（17）に対して室内空気を流す室内ファンが設けられている。
【００２７】
上記室外ユニット（11）において、圧縮機（13）の吐出側は、四路切換弁（16）の第１ポート（P1）に接続されている。圧縮機（13）の吸入側は、四路切換弁（16）の第３ポート（P3）に接続されている。
【００２８】
上記室外熱交換器（14）は、クロスフィン式のフィン・アンド・チューブ型熱交換器として構成されている。室外熱交換器（14）の一端は、四路切換弁（16）の第４ポート（P4）に接続されている。室外熱交換器（14）の他端は、主膨張弁（15）に接続されている。この室外熱交換器（14）では、図示しない室外ファンによって送られる室外空気と該熱交換器（14）内を流通する冷媒との間で熱交換が行われる。
【００２９】
上記主膨張弁（15）は、開度が調節可能に構成された電動弁からなる。この主膨張弁（15）は、冷媒回路（2）内の蒸発圧力が所定の圧力になるように、開度調節される。
【００３０】
上記四路切換弁（16）は、第２ポート（P2）が室内ユニット（12）における室内熱交換器（17）の一端側に接続されている。また、上記四路切換弁（16）は、第１ポート（P1）と第４ポート（P4）とが互いに連通し且つ第２ポート（P2）と第３ポート（P3）とが互いに連通する第１状態（図１に実線で示す状態）と、第１ポート（P1）と第２ポート（P2）とが互いに連通し且つ第３ポート（P3）と第４ポート（P4）とが互いに連通する第２状態（図１に破線で示す状態）とが切り換え可能になっている。
【００３１】
上記冷却回路（20）は、上記圧縮機（13）を駆動制御する制御装置（4）を冷却するための回路である。この冷却回路（20）は、詳しくは後述するように、流入側が上記主膨張弁（15）の上下流側に接続されているとともに、流出側が上記圧縮機（13）の内部空間（図示しない圧縮室や通路など）に接続されている。
【００３２】
上記室内熱交換器（17）は、上記室外熱交換器（14）と同様、クロスフィン式のフィン・アンド・チューブ型熱交換器として構成されている。この室内熱交換器（17）の一端は、四路切換弁（16）の第２ポート（P2）に接続されている。室内熱交換器（17）の他端は、室外ユニット（11）の主膨張弁（15）に接続されている。この室内熱交換器（17）では、図示しない室内ファンによって送られる室内空気と該熱交換器（17）内を流通する冷媒との間で熱交換が行われる。
【００３３】
上記空気調和装置（1）では、四路切換弁（16）が第１状態の場合、冷房運転が行われ、四路切換弁（16）が第２状態の場合、暖房運転が行われる。冷房運転では、冷媒回路（2）において、室外熱交換器（14）が凝縮器として機能し且つ室内熱交換器（17）が蒸発器として機能する蒸気圧縮式冷凍サイクルが行われる。一方、暖房運転では、冷媒回路（2）において、室外熱交換器（14）が蒸発器として機能し且つ室内熱交換器（17）が凝縮器として機能する蒸気圧縮式冷凍サイクルが行われる。
【００３４】
−冷却回路の構成−
上記圧縮機（13）を駆動制御する制御装置（4）を冷却するための冷却回路（20）について、以下で詳細に説明する。
【００３５】
上記冷却回路（20）は、流入側が上記冷媒回路（2）に接続され、流出側が上記圧縮機（13）の内部空間に接続される冷媒配管（21）と、該冷媒配管（21）と熱交換可能に設けられる冷却ジャケット部（22）と、該冷却ジャケット部（22）の上下流側にそれぞれ設けられる膨張弁（23,24）とを備えている。
【００３６】
上記冷媒配管（21）は、上記冷媒回路（2）内の主膨張弁（15）の上流側及び下流側にそれぞれ接続される２つの流入配管（25,26）（流入路）を有している。流入配管（25）は、室外熱交換器（14）と主膨張弁（15）との間の冷媒配管（3）に接続されている。流入配管（26）は、主膨張弁（15）と室内熱交換器（17）との間の冷媒配管（3）に接続されている。このように、上記主膨張弁（15）を挟み込むように流入配管（25,26）を冷媒回路（2）の冷媒配管（3）に接続することで、該主膨張弁（15）において圧力が高い側の冷媒が一方の流入配管（25,26）を流れて冷却回路（20）に流入する。すなわち、上述のように、上記主膨張弁（15）の上下流側にそれぞれ冷却回路（20）の流入配管（25,26）を接続することにより、該冷却回路（20）内に常に高圧の冷媒を流入させることができる。したがって、上述の構成により、上記冷却回路（20）内に低圧の冷媒が流入して結露が発生するのを防止できる。
【００３７】
しかも、上記２つの流入配管（25,26）には、それぞれ、上記冷媒回路（2）から冷却回路（20）内への冷媒の流れのみを許容するように逆止弁（27,28）（流れ規制機構）が設けられている。これらの逆止弁（27,28）を上記流入配管（25,26）にそれぞれ設けることにより、上記冷却回路（20）から流入配管（25,26）を介して冷媒回路（2）側へ冷媒が逆流するのを防止することができる。
【００３８】
また、上記冷却回路（20）の冷媒配管（21）は、その流出側が上記圧縮機（13）の内部空間に接続されている。このように、上記冷却回路（20）から流出する冷媒を圧縮機（13）の高圧側に戻すことにより、上記制御装置（4）から回収した熱を高圧冷媒に与えることができ、その分、暖房能力の向上を図れる。しかも、上述の構成では、上記制御装置（4）から回収した熱を蒸発器側へ流さないので、冷房運転時に能力低下が生じるのを防止できる。
【００３９】
上記冷却ジャケット部（22）は、上記冷媒配管（21）と熱的に接続されているとともに、上記制御装置（4）に対しても熱交換可能に接続されている。これにより、上記冷却ジャケット部（22）を介して、上記冷媒配管（21）内の冷媒で上記制御装置（4）を冷却することができる。すなわち、上記冷却ジャケット部（22）を介して、上記制御装置（4）で発生した熱は上記冷媒配管（21）内の冷媒に回収される。なお、上記ジャケット部（22）が、本発明の制御装置（4）を冷却する部分に対応する。
【００４０】
上記膨張弁（23,24）は、それぞれ、開度が調節可能に構成された電動弁からなる。膨張弁（23）（圧力調整機構）は、上記冷却ジャケット部（22）における冷媒配管（22）内の冷媒の蒸発圧力を調整するように構成されている。また、この膨張弁（23）の開度を制御することにより、上記冷媒配管（22）内の冷媒の蒸発圧力を、冷却回路（20）内で結露が発生しないような圧力に調整することもできる。上記膨張弁（24）（流量調整機構）は、冷却回路（20）から冷媒回路（2）へ流出する冷媒の流量を調整するように構成されている。
【００４１】
−運転動作−
次に、上記空気調和機（1）の運転動作について説明する。
【００４２】
上記空気調和機（1）の冷媒回路（2）では、上記四路切換弁（16）の状態の切り換えに応じて、冷媒の循環方向が切り替わる。その結果、この空気調和機（1）では、室内熱交換器（17）が蒸発器となり、室外熱交換器（14）が凝縮器となる冷房運転と、室内熱交換器（17）が凝縮器となり、室外熱交換器（14）が蒸発器となる暖房運転とに切換可能になっている。
【００４３】
〈冷房運転〉
冷房運転では、上記四路切換弁（16）が図１に実線で示す状態に設定され、上記主膨張弁（15）の開度が適宜調節される。
【００４４】
冷房運転では、上記圧縮機（13）で圧縮された冷媒が、吐出管から吐出され、室外熱交換器（14）を流れる。この室外熱交換器（14）では、高圧のガス冷媒が室外空気へ放熱して凝縮する。上記室外熱交換器（14）で凝縮した高圧液冷媒は、一部の冷媒が冷却回路（20）へ流れ、残りの冷媒が上記主膨張弁（15）に流れる。なお、この冷却回路（20）に流れる冷媒は、全体流量の約１〜１０％程度である。
【００４５】
上記冷却回路（20）側へ流れる冷媒は、流入配管（25）を介して該冷却回路（20）内へ流入する。冷却回路（20）内へ流入した冷媒は、該冷却回路（20）内の膨張弁（23）で蒸発圧力が調整され、冷却ジャケット部（22）へ流れる。このとき、もう一本の流入配管（26）には逆止弁（28）が設けられているため、該流入配管（26）から冷媒回路（2）側へ冷媒が逆流することはない。
【００４６】
上記膨張弁（23）は、開状態に設定される。このように膨張弁（23）が開状態でも、制御装置（4）を冷却ジャケット部（22）で冷却できるため、通常、膨張弁（23）は開状態のままでよい。上記冷却ジャケット部（22）の冷却能力を増大させる場合には、冷却回路（20）内での結露の発生を防止するように、上記膨張弁（23）の開度を調整する必要がある。
【００４７】
上記冷却ジャケット部（22）では、内部を流れる冷媒によって制御装置（4）で発生する熱が効率良く吸収される。上記冷却ジャケット部（22）から流出した冷媒は、該冷却ジャケット部（22）の下流側に位置する膨張弁（24）を通過した後、圧縮機（13）の内部に戻される。上記膨張弁（24）では、主に冷媒の流量が調整される。すなわち、この膨張弁（24）は、上記冷却回路（20）内に流れる冷媒が上述のように全体流量の約１〜１０％程度になるように、開度調節される。
【００４８】
一方、上記冷媒回路（2）内の主膨張弁（15）に流入した冷媒は、該主膨張弁（15）で減圧される。減圧された冷媒は、室内熱交換器（17）に流れて、この室内熱交換器（17）で室内空気から吸熱して蒸発する。その結果、室内の冷房が行われる。上記室内熱交換器（17）で蒸発した冷媒は、四路切換弁（16）を通過した後、吸入管から上記圧縮機（13）内に吸入される。
【００４９】
〈暖房運転〉
暖房運転では、四路切換弁（16）が図３に実線（図１の破線）で示す状態に設定され、上記主膨張弁（15）の開度が適宜調節される。
【００５０】
暖房運転では、上記圧縮機（13）で圧縮された冷媒が、吐出管から吐出され、室内熱交換器（17）を流れる。この室内熱交換器（17）では、高圧のガス冷媒が室内空気へ放熱して凝縮する。その結果、室内の暖房が行われる。上記室内熱交換器（17）で凝縮した後の高圧液冷媒は、一部の冷媒が冷却回路（20）へ流れ、残りの冷媒が上記主膨張弁（15）に流れる。なお、この冷却回路（20）に流れる冷媒は、上述の冷房運転の場合と同様、全体流量の約１〜１０％程度である。
【００５１】
冷房運転の場合と同様、上記冷却回路（20）側へ流れる冷媒は、流入配管（26）を介して該冷却回路（20）内へ流入する。冷却回路（20）内へ流入した冷媒は、該冷却回路（20）の膨張弁（23）で蒸発圧力が調整され、冷却ジャケット部（22）へ流れる。このとき、もう一本の流入配管（25）には逆止弁（27）が設けられているため、該流入配管（25）から冷媒回路（2）側へ冷媒が逆流することはない。
【００５２】
上記膨張弁（23,24）の動作や上記冷却ジャケット部（22）による制御装置（4）の冷却は、上述の冷房運転の場合と同様なので、詳しい説明を省略する。
【００５３】
上記冷媒回路（2）内の主膨張弁（15）に流入した冷媒は、該主膨張弁（15）で減圧される。減圧された冷媒は、室外熱交換器（14）に流れて、この室外熱交換器（14）で室外空気から吸熱して蒸発する。このように室外熱交換器（14）で蒸発した冷媒は、四路切換弁（16）を通過した後、吸入管から上記圧縮機（13）内に吸入される。
【００５４】
図３に、上記空気調和装置（1）を運転動作させた場合のモリエル線図の一例を示す。この図３の例では、冷却回路（20）内の膨張弁（23）は全開状態である。この図３に示すように、圧縮機（13）では、冷媒を吸入する（ａ点）と、吸入した冷媒を圧縮する（ｂ点）とともに、冷却回路（20）から流出した冷媒（ｃ点）も圧縮して、冷媒をｄ点の状態にする。その状態で上記圧縮機（13）から吐出された冷媒は、凝縮器を流れる際に放熱するとともに、該凝縮器内の圧力損失により徐々に圧力Ｐが低下する。凝縮器から流出した冷媒は、ｅ点の状態（圧力Ｐｄ）になる。その後、一部の冷媒は、冷却回路（20）内を流れて冷却ジャケット部（22）で制御装置（4）の熱を吸収するとともに、冷却ジャケット部（22）等での圧力損失により徐々に圧力Ｐが低下し、点ｃの状態となる。
【００５５】
一方、上記凝縮器から流出した冷媒のうち上記冷却回路（20）に流れなかった冷媒は、主膨張弁（15）に流れて、該主膨張弁（15）で圧力がＰｄからＰｓに下げられる（点ｆ）。その後、冷媒は蒸発器で熱を吸収するとともに、該蒸発器の圧力損失により徐々に圧力が低下して、点ａの状態になる。
【００５６】
ここで、上記図３中のＱｅは冷媒が蒸発器で受け取る熱量を、Ｑｃは冷媒が凝縮器で放出する熱量を、Ｑｉは冷媒が冷却回路（20）で受け取る熱量を、それぞれ示している。また、上記図３中のｇ、Ｇは、それぞれ、冷却回路（20）内の冷媒流量及び該冷却回路（20）と分岐した後の冷媒流量を示す。
【００５７】
上記図３に示すモリエル線図から分かるように、上述の構成では、凝縮器や冷却回路（20）での圧力損失分によって圧力が低下した冷媒を、圧縮機（13）の内部に戻して圧縮するように構成されている。したがって、上述の構成は、一般的なインジェクションとは構成を大きく異にしている。
【００５８】
−実施形態の効果−
以上より、制御装置（4）を冷却するための冷却回路（20）内に、冷媒回路（2）内の高圧の冷媒をより確実に流入させることができる。すなわち、冷却回路（20）の冷媒配管（21）の流入側は、冷媒回路（2）の主膨張弁（15）の上下流側にそれぞれ接続される２つの流入配管（25,26）によって構成されるため、空気調和装置の運転状態（冷房運転、暖房運転）に関係なく、該冷却回路（20）には主膨張弁（15）の高圧側の冷媒が流れ込む。これにより、上記冷却回路（2）の冷却ジャケット部（22）で結露が発生するのを防止できる。
【００５９】
しかも、上記流入配管（25,26）には、冷媒回路（2）から冷却回路（20）への冷媒の流れのみを許容する逆止弁（27,28）が設けられているため、該冷却回路（20）から冷媒回路（2）側へ冷媒が逆流するのをより確実に防止できる。したがって、冷却回路（20）内を流れる冷媒によって制御装置（4）をより確実に冷却することができる。
【００６０】
また、上記冷却回路（20）の冷媒を、圧縮機（13）の内部に戻すことにより、冷却回路（20）内で制御装置（4）から回収した熱を圧縮機（13）内の高圧冷媒に与えることができる。これにより、冷房運転時に制御装置（4）から熱を回収した冷媒が蒸発器側へ流れるのを防止でき、冷房能力の低下を防止できる。しかも、上述のように、制御装置（4）から熱を回収した冷媒を凝縮器よりも上流側に戻すことにより、暖房運転時には、該制御装置（4）で発生した熱の分だけ、暖房能力を向上することができる。
【００６１】
さらに、上記圧縮機（13）に戻される冷媒は、凝縮器及び冷却回路（20）での圧力損失分だけ圧力が低下した冷媒なので、圧縮機の大幅な効率低下を招くことがない。したがって、冷媒によって制御装置（4）を冷却した場合に、空気調和装置（1）の運転効率が大幅に低下するのを防止できる。
【００６２】
《その他の実施形態》
上記実施形態については、以下のような構成としてもよい。
【００６３】
上記実施形態では、冷却回路（20）内の冷却ジャケット部（22）の上流側及び下流側に、それぞれ膨張弁（23,24）を設けているが、この限りではなく、流量調整用の膨張弁（24）のみを設けてもよいし、膨張弁を設けなくてもよい。また、上記膨張弁（23,24）の代わりに、キャピラリなどのように、圧力や流量を調整可能な構成部品を設けてもよい。
【００６４】
また、上記実施形態では、冷却回路（20）の流入側を２つの流入配管（25,26）によって構成しているが、この限りではなく、一つの流入配管のみによって構成してもよい。
【００６５】
さらに、上記実施形態では、流入配管（25,26）にそれぞれ逆止弁（27,28）を設けているが、この限りではなく、いずれか一方の流入配管のみに逆止弁を設けてもよいし、いずれの流入配管にも逆止弁を設けないようにしてもよい。また、上記逆止弁（27,28）の代わりに、冷却回路（20）から冷媒回路（2）への冷媒の逆流を防止できるような機構（例えば所定タイミングで開閉する開閉弁など）を設けてもよい。
【００６６】
また、上記実施形態では、冷却回路（20）の吸入配管（25,26）を、それぞれ、室外熱交換器（14）と主膨張弁（15）との間の冷媒配管（3）、該主膨張弁（15）と室内熱交換器（17）との間の冷媒配管（3）に、接続しているが、この限りではなく、冷媒回路（2）における各熱交換器（14,17）の四路切換弁（16）側の端部と主膨張弁（15）との間であれば、上記吸入配管（25,26）をどこに接続してもよい。
【産業上の利用可能性】
【００６７】
以上説明したように、本発明は、圧縮機を駆動制御するための制御装置を冷媒によって冷却するように構成された冷凍装置に有用である。
【符号の説明】
【００６８】
１    空気調和装置（冷凍装置）
２    冷媒回路
３    冷媒配管
４    制御装置
１１    室外ユニット
１２    室内ユニット
１３    圧縮機
１４    室外熱交換器（熱源側熱交換器）
１５    主膨張弁（膨張機構）
１６    四路切換弁（流路切換機構）
１７    室内熱交換器（利用側熱交換器）
２０    冷却回路
２１    冷媒配管
２２    冷却ジャケット部
２３    膨張弁（圧力調整機構）
２４    膨張弁（流量調整機構）
２５、２６    流入配管（流入路）
２７、２８    逆止弁（流れ規制機構）
【図１】
2011133133.tif 000003
【図２】
2011133133.tif 000004
【図３】
2011133133.tif 000005